(57)【要約】【課題】大多数の人の足の形状に個別に対応でき、しかもオーダーメイドに比べて短期間で安価に製造できる婦人靴及び当該婦人靴の製造方法を提供する。【解決手段】  使用者の足を計測して計測値を取得し、取得された計測値に基づいて使用者の足の形状を反映した形状を有するインソール３１を製作する。アッパー２には、使用者の第１中足骨に対応する位置に設けられた第１欠落部２１に取り付けられた布状の第１伸縮部材５１と、使用者の第５中足骨に対応する位置に設けられた第２欠落部２２に取り付けられた布状の第２伸縮部材５２とが設けられる。使用者の足の計測値に適合するサイズの木型を選択し、選択された木型を用いてアッパー２に、製作されたインソール３１を取り付ける。【選択図】図２
2017123974.tif 000002
【特許請求の範囲】
【請求項１】
使用者の第１中足骨に対応する位置に設けられた第１欠落部に取り付けられた布状の第１伸縮部材と、前記使用者の第５中足骨に対応する位置に設けられた第２欠落部に取り付けられた布状の第２伸縮部材とを有するアッパーと、
前記アッパーに取り付けられ、前記使用者の足の形状を反映した形状を有するインソールと、
を備える、婦人靴。
【請求項２】
前記アッパーは、使用者の足の甲に対応する位置に設けられた第３欠落部に取り付けられた布状の第３伸縮部材をさらに有する、
請求項１に記載の婦人靴。
【請求項３】
前記アッパーは、使用者の足囲を反映した幅を有する、
請求項１又は２に記載の婦人靴。
【請求項４】
使用者の足を計測して計測値を取得するステップと、
取得された前記計測値に基づいて前記使用者の足の形状を反映した形状を有するインソールを製作するステップと、
前記使用者の第１中足骨に対応する位置に設けられた第１欠落部に取り付けられた布状の第１伸縮部材と、前記使用者の第５中足骨に対応する位置に設けられた第２欠落部に取り付けられた布状の第２伸縮部材とを有するアッパーに、製作された前記インソールを取り付けるステップと、
を有する、婦人靴の製造方法。
【請求項５】
前記インソールを取り付けるステップでは、取得された前記計測値に基づいて、前記使用者の足囲を反映した靴幅となるよう、前記アッパーに前記インソールを取り付ける、
請求項４に記載の婦人靴の製造方法。
【請求項６】
足囲が異なる複数種類の木型から、取得された前記計測値に対応する木型を選択するステップをさらに有し、
前記インソールを取り付けるステップでは、選択された前記木型を用いて、前記アッパーに前記インソールを取り付ける、
請求項５に記載の婦人靴の製造方法。
【請求項７】
前記計測値を取得するステップでは、足の３次元形状を計測する計測装置を用いて前記計測値を取得する、
請求項４乃至６の何れかに記載の婦人靴の製造方法。
【請求項８】
前記インソールを製作するステップでは、立体を造形する３次元造形装置を用いて前記インソールを製作する、
請求項４乃至７の何れかに記載の婦人靴の製造方法。
【発明の詳細な説明】
【技術分野】
【０００１】
本発明は、外反母趾による痛みを緩和するための婦人靴及びその製造方法に関する。
【背景技術】
【０００２】
外反母趾による痛みを緩和するために、インソール（中底）の親指に対応する位置に凹部を設けるなど、インソールを特殊な形状にした外反母趾用の婦人靴が知られている（例えば、特許文献１参照）。
【０００３】
また、外反母趾の患者の足の形状を計測し、その形状に合わせたオーダーメイドの婦人靴を製造する場合もある。このようなオーダーメイドの婦人靴では、靴全体を使用者毎に異なる足の形状に合致させることができるため、足の痛みを緩和する効果が高い。
【先行技術文献】
【特許文献】
【０００４】
【特許文献１】特開２０１２−１０５９２６号公報
【発明の概要】
【発明が解決しようとする課題】
【０００５】
しかしながら、従来の外反母趾用の婦人靴では、インソールが特殊な形状であるため特定の使用者の足の形状にしか合致せず、使用できる者が限られる。また、オーダーメイドの婦人靴では、製造期間が長く、高額であった。
【０００６】
本発明は斯かる事情に鑑みてなされたものであり、その主たる目的は、大多数の人の足の形状に個別に対応でき、しかもオーダーメイドに比べて短期間で安価に製造できる婦人靴及び当該婦人靴の製造方法を提供することにある。
【課題を解決するための手段】
【０００７】
上述した課題を解決するために、本発明の一の態様の婦人靴は、使用者の第１中足骨に対応する位置に設けられた第１欠落部に取り付けられた布状の第１伸縮部材と、前記使用者の第５中足骨に対応する位置に設けられた第２欠落部に取り付けられた布状の第２伸縮部材とを有するアッパーと、前記アッパーに取り付けられ、前記使用者の足の形状を反映した形状を有するインソールと、を備える。
【０００８】
この態様において、前記アッパーは、使用者の足の甲に対応する位置に設けられた第３欠落部に取り付けられた布状の第３伸縮部材をさらに有していてもよい。
【０００９】
上記態様において、前記アッパーは、使用者の足囲を反映した幅を有していてもよい。
【００１０】
また、本発明の他の態様の婦人靴の製造方法は、使用者の足を計測して計測値を取得するステップと、取得された前記計測値に基づいて前記使用者の足の形状を反映した形状を有するインソールを製作するステップと、前記使用者の第１中足骨に対応する位置に設けられた第１欠落部に取り付けられた布状の第１伸縮部材と、前記使用者の第５中足骨に対応する位置に設けられた第２欠落部に取り付けられた布状の第２伸縮部材とを有するアッパーに、製作された前記インソールを取り付けるステップと、を有する。
【００１１】
この態様において、前記インソールを取り付けるステップでは、取得された前記計測値に基づいて、前記使用者の足囲を反映した靴幅となるよう、前記アッパーに前記インソールを取り付けてもよい。
【００１２】
上記態様において、前記製造方法は、足囲が異なる複数種類の木型から、取得された前記計測値に対応する木型を選択するステップをさらに有し、前記インソールを取り付けるステップでは、選択された前記木型を用いて、前記アッパーに前記インソールを取り付けてもよい。
【００１３】
上記態様において、前記計測値を取得するステップでは、足の３次元形状を計測する計測装置を用いて前記計測値を取得してもよい。
【００１４】
上記態様において、前記インソールを製作するステップでは、立体を造形する３次元造形装置を用いて前記インソールを製作してもよい。
【発明の効果】
【００１５】
本発明に係る婦人靴及び婦人靴の製造方法によれば、大多数の人の足の形状に個別に対応でき、しかもオーダーメイドに比べて短期間で安価に製造できる。
【図面の簡単な説明】
【００１６】
【図１】実施の形態に係る婦人靴の構成を示す斜視図。
【図２】実施の形態に係る婦人靴のリボン飾りを取り外した状態を示す斜視図。
【図３】実施の形態に係る婦人靴のリボン飾りを取り外した状態を示す平面図。
【図４】外反母趾の使用者が実施の形態に係る婦人靴を使用した状態を示す平面図。
【図５】実施の形態に係る婦人靴の製造方法を説明するための模式図。
【図６】実施の形態に係る婦人靴の製造方法の手順を示すフローチャート。
【発明を実施するための形態】
【００１７】
以下、本発明の好ましい実施の形態を、図面を参照しながら説明する。
【００１８】
＜婦人靴＞
図１は、本実施の形態に係る婦人靴の構成を示す斜視図である。なお、図１中において、矢印により方向を示している。爪先側を「前側」、かかと側を「後側」とする。また、靴底側を「下側」、その反対側を「上側」とする。また、爪先方向に向かって右側を「右側」、左側を「左側」とする。
【００１９】
図１に示すように、婦人靴１は、アッパー２と、ソール３とを備えるパンプスである。アッパー２は、使用者の足のつま先、側面及びかかとを覆うように形成されており、甲部分にはリボン飾り４が設けられている。ソール３は、インソール３１とアウトソール３２とを有する。
【００２０】
図２は、本実施の形態に係る婦人靴のリボン飾り４を取り外した状態を示す斜視図であり、図３は、その平面図である。アッパー２は、実質的に伸縮性のない天然皮革、人工皮革、合成皮革、織物等によって構成される。図３に示すように、アッパー２において、親指のつけ根の部分、即ち、第１中足骨に対応する位置が半楕円状に欠落しており、この部分が第１欠落部２１とされる。また、図２及び図３に示すように、アッパー２において、小指のつけ根部分、即ち第５中足骨に対応する位置が半楕円状に欠落しており、この部分が第２欠落部２２とされる。
【００２１】
また、図３に示すように、アッパー２には、第１欠落部２１を塞ぐように布状の第１伸縮部材５１が取り付けられ、第２欠落部２２を塞ぐように布状の第２伸縮部材５２が取り付けられている。第１及び第２伸縮部材５１，５２は、互いに直交する２方向に伸縮性のある２ウェイストレッチ生地又は１方向に伸縮性のある１ウェイストレッチ生地であり、ポリウレタン弾性繊維、ポリウレタン合成皮革、サンドイッチメッシュ生地、又はスウェット生地等が用いられる。
【００２２】
また、図２及び図３に示すように、アッパー２において、足の甲に対応する位置が半楕円状に欠落しており、この部分が第３欠落部２３とされる。アッパー２には、第３欠落部２３を塞ぐように布状の第３伸縮部材５３が取り付けられている。第３伸縮部材５３の構成は、第１及び第２伸縮部材５１，５２と同様であるので、説明を省略する。
【００２３】
上記のようなアッパー２は、使用者の足を計測して得られた計測値に基づいて選択された木型を用いて成形される。これにより、アッパー２は、使用者の足囲を反映した幅を有する。
【００２４】
インソール３１は、使用者の足を計測して得られた計測値に基づいて製作されたものである。これにより、インソール３１は、使用者の足の形状を反映した形状を有する。なお、木型の選択及びインソール３１の製作についての詳細は後述する。
【００２５】
外反母趾の場合、親指のつけ根部分及び小指のつけ根部分が側方に突出し、その突出の程度には個人差がある。使用者の足のサイズに対して靴のサイズが小さすぎると、親指のつけ根部分及び小指のつけ根部分が締め付けられ、痛みを生じてしまう。したがって、外反母趾の場合、靴の形状が足の形状に合致していることが特に重要である。本実施の形態に係る婦人靴１においては、使用者の足の計測値に基づいて選択された木型を用いてアッパー２が成形される。このため、使用者の足の形状にアッパー２の形状が概ね合致し、親指のつけ根部分及び小指のつけ根部分がアッパーに強く締め付けられることが防止される。
【００２６】
図４は、外反母趾の使用者が本実施の形態に係る婦人靴１を使用した状態を示す平面図である。使用者が婦人靴１を履くと、親指のつけ根部分が第１伸縮部材５１に当たり、小指のつけ根部分が第２伸縮部材５２に当たり、甲の部分が第３伸縮部材５３に当たる。親指のつけ根部分及び小指のつけ根部分のそれぞれに対応する位置が覆われた通常のアッパーを有する婦人靴の場合、使用者の親指のつけ根部分及び小指のつけ根部分が伸縮性の乏しいアッパーに当たり、押さえつけられるため痛みを生じてしまう。これに対し、本実施の形態に係る婦人靴１では、使用者の親指のつけ根部分及び小指のつけ根部分が第１及び第２伸縮部材５１，５２に当たり、第１及び第２伸縮部材５１，５２が親指のつけ根部分及び小指のつけ根部分の形状に沿って変形するため、これらの部分が締め付けられず、外反母趾による痛みを緩和できる。
【００２７】
また、甲の部分も外反母趾による痛みが生じやすい箇所であり、使用者の甲の部分が第３伸縮部材５３に当たり、甲の部分に合わせて第３伸縮部材５３が変形するため、甲の部分における痛みも緩和できる。
【００２８】
また、アッパー２における一部に第１乃至第３伸縮部材５１，５２，５３を設けたので、外反母趾による痛みを緩和するという機能性を確保しつつ、デザイン性が損なわれることを抑制できる。リボン飾り４を取り付ければ、第１乃至第３伸縮部材５１，５２，５３が隠されるため、より一層デザイン性を高めることができる。
【００２９】
本実施の形態に係る婦人靴１においては、インソール３１の形状が使用者の足の形状に合致する。インソールが足の形状に合致していなければ、足裏において局所的にインソールに強く当たる部分が生じる。これによって、親指のつけ根部分又は小指のつけ根部分が横に押し広げられたり、上に持ち上げられたりし、外反母趾による痛みをさらに大きくすることがある。本実施の形態に係る婦人靴１によれば、インソールの形状が使用者の足の形状に合致するため、足裏全体に荷重を分散することができ、親指のつけ根部分又は小指のつけ根部分が横に押し広げられたり、上に持ち上げられたりすることを防止できる。したがって、外反母趾による痛みが増大することが防止される。
【００３０】
また、インソール３１は、使用者の足を計測して得られた計測値に基づいて製作され、アッパー２は、計測値に基づいて選択された木型を用いて成形されるので、大多数の人の足の形状に個別に対応できる。さらに、アッパー２においては、第１伸縮部材５１，第２伸縮部材５２及び第３伸縮部材５３が使用者の足の形状に合わせて変形するため、このことによっても大多数の人の足の形状に個別に対応できる。
【００３１】
＜婦人靴の製造方法＞
次に、本実施の形態に係る婦人靴１の製造方法について説明する。
【００３２】
図５は、本実施の形態に係る婦人靴の製造方法を説明するための模式図であり、図６は、本実施の形態に係る婦人靴の製造方法の手順を示すフローチャートである。
【００３３】
図５に示すように、本実施の形態に係る婦人靴の製造方法は、婦人靴を販売する靴販売店１００と、婦人靴を製造する靴製造業者の靴製造工場２００とにおいて実施される。
【００３４】
本実施の形態に係る婦人靴１は、以下のような簡易的なオーダーメイドである所謂セミオーダーにより製造される。
【００３５】
靴販売店１００には、足の３次元形状を計測する計測装置１０１が設置される。靴販売店１００では、客（使用者）が複数のデザインの婦人靴の商品モデルを選択可能である。使用者は、購入を希望するデザインの商品モデルを選択し、注文する。靴販売店１００の販売員は、使用者の足の３次元形状を計測装置１０１で計測し、その計測値を取得する（図６のステップＳ１０１）。
【００３６】
靴製造工場２００には、立体を造形する３次元造形装置２０１が設置される。靴販売店１００によって取得された足の計測値は、３次元造形装置２０１に与えられる（ステップＳ１０２）。ここで、足の計測値は、どのような方法によって３次元造形装置２０１に入力されてもよい。例えば、靴販売店１００の計測装置１０１が靴製造工場２００の３次元造形装置２０１にインターネット等の通信回線によって接続されており、計測装置１０１から足の計測値を３次元造形装置２０１に送信してもよい。また、靴販売店１００の販売員が靴販売店１００に設置されているコンピュータを用いて足の計測値を含むメールを送信し、靴製造業者の構成員が靴製造工場２００に設置されているコンピュータを用いてこのメールを受信し、構成員がメールに含まれる足の計測値を３次元造形装置２０１に入力してもよい。
【００３７】
構成員は、３次元造形装置２０１によって、インソール３１を製作する（ステップＳ１０３）。３次元造形装置２０１では、入力された足の計測値に基づいて、インソール３１の形状を決定し、決定された形状のインソール３１を造形する。このように、インソール３１は、足の計測値に基づいて製作されたものであるので、使用者の足の形状を反映した形状を有する。
【００３８】
インソール３１は、使用者の足裏と実質的に同じ形状とすることができる。また、インソール３１の形状を使用者の足裏の形状そのままではなく、外反母趾による痛みを抑えるためのアーチ補正を含む形状としてもよい。
【００３９】
３次元造形装置２０１は、合成樹脂又は木材の加工材を切削加工することにより立体物を造形する３次元切削加工機（３Ｄプロッタ）とすることができる。また、３次元造形装置２０１は、液状の合成樹脂等の材料を断面形状に硬化させて積層する積層造形法により立体物を造形する３次元積層造型機（３Ｄプリンタ）としてもよい。
【００４０】
靴製造業者の構成員は、靴販売店１００から提供された足の計測値に基づいて、木型２０２を選択する（ステップＳ１０４）。靴製造工場２００には、サイズが異なる複数の木型２０２が予め設置されている（図５参照）。足の計測値には、使用者の足囲が含まれる。ステップＳ１０４では、複数の木型２０２のうち、使用者の足囲に適合した足囲の木型２０２が選択される。
【００４１】
再度図６を参照する。靴製造業者の構成員は、選択された木型２０２を用いて、アッパー２を木型２０２に沿うように成形し、アッパー２をインソール３１に接着剤又は釘で取り付ける（ステップＳ１０５）。ここで用いられるアッパー２には、予め第１乃至第３伸縮部材５１，５２，５３が取り付けられている。
【００４２】
靴製造業者の構成員は、アッパー２とインソール３１からなる靴本体の底面をバフ掛けして起毛させ、接着剤により靴本体にアウトソール３２を取り付ける（ステップＳ１０６）。また、この工程において、靴本体にリボン飾り４が取り付けられる。
【００４３】
靴製造業者の構成員は、接着剤を乾燥させ、アッパー２のシワを除去した後、靴本体から木型２０２を抜き取り、アッパー２等に付着した汚れを除去する等の最終仕上げを行って、婦人靴１を完成させる（ステップＳ１０７）。
【００４４】
完成した婦人靴１は、靴販売店１００に納品され、使用者に引き渡される（図５参照）。
【００４５】
以上のような方法によって婦人靴１を製造することにより、使用者毎に異なる足の形状にインソール３１の形状を適合させることができる。したがって、足の痛みを効果的に緩和できる。
【００４６】
また、予め用意された複数の木靴から使用者の足のサイズに適合する木型２０２を選択して婦人靴１を製造するため、オーダーメイドに比べて製造期間が短く、安価に婦人靴１を製造できる。
【００４７】
また、インソール３１の形状を使用者の足の形状に適合させ、使用者の足のサイズに適合した木型２０２で婦人靴１を製造するため、大多数の人の足の形状に個別に対応させて婦人靴１を製造することができる。
【００４８】
また、アッパー２の親指のつけ根及び小指のつけ根に対応する部分に第１及び第２欠落部２１，２２を設け、これらの第１及び第２欠落部２１，２２を塞ぐように第１及び第２伸縮部材５１，５２をアッパー２に取り付けているため、外反母趾の場合に外側に突出する親指のつけ根及び小指のつけ根を締め付けることが無く、痛みを緩和できる。さらに、甲部分に第３欠落部２３を設け、この第３欠落部２３を塞ぐように第３伸縮部材５３をアッパー２に取り付けているため、甲部分の締め付けを抑制し、さらに痛みを緩和できる。
【００４９】
また、第１乃至第３伸縮部材５１，５２，５３がアッパー２に設けられているため、親指のつけ根部分、小指のつけ根部分、甲部分に沿って第１乃至第３伸縮部材５１，５２，５３が変形することにより、アッパー２の形状が使用者の足の形状に個別に対応することとなる。また、アッパー２の一部にしか第１乃至第３伸縮部材５１，５２，５３が設けられていないので、デザイン性が損なわれるのを抑制できる。
【００５０】
（その他の実施の形態）
上記の実施の形態においては、アッパー２において使用者の甲部分に対応する箇所に第３欠落部２３を設け、この第３欠落部２３を塞ぐように第３伸縮部材５３を設ける構成について述べたが、これに限定されるものではない。アッパー２において、使用者の親指のつけ根部分及び小指のつけ根部分に対応する箇所に第１及び第２欠落部２１，２２を設け、これらの第１及び第２欠落部２１，２２を塞ぐように第１及び第２伸縮部材５１，５２を設けていれば、使用者の甲部分に対応する箇所を欠落させず、第３伸縮部材５３を取り付けない構成とすることも可能である。
【００５１】
また、上記の実施の形態においては、靴製造工場２００においてインソール３１を製作し、木型２０２を用いてアッパー２を成形し、完成品である婦人靴１を製造する方法について述べたが、これに限定されるものではない。靴製造工場２００では、取得された足の計測値に基づいて３次元造形装置２０１によってインソール３１を製作し、製作されたインソール３１を靴販売店１００に納品するようにしてもよい。この場合、靴販売店１００に異なるサイズの複数の木型２０２を設置しておき、靴販売店１００の販売員等が足の計測値に基づいて木型２０２を選択し、選択された木型２０２を用いてアッパー２を成形し、アッパー２をインソール３１に取り付け、さらにアウトソール３２を取り付けることによって、婦人靴１を完成させてもよい。
【００５２】
また、異なるサイズの複数の木型２０２を用いて異なるサイズの複数の婦人靴を製造しておき、これらの婦人靴を靴販売店１００に設置しておくこともできる。この場合、靴製造工場２００では、取得された足の計測値に基づいて３次元造形装置２０１によってインソール３１を製作し、製作されたインソール３１を靴販売店１００に納品する。靴販売店１００では、販売員等が足の計測値に基づいてサイズが適合する婦人靴を選択し、選択された婦人靴にインソール３１を中敷きとして組み合わせることができる。
【００５３】
また、足の計測値だけでなく、木型２０２にも基づいてインソール３１を製作することもできる。例えば、取得された足の計測値に基づいて木型２０２を選択し、選択された木型２０２（特に幅）及び計測値に基づいてインソール３１を製作し、選択された木型２０２に適合するインソール３１とすることも可能である。これにより、インソール３１の形状を木型２０２に適合させることができるので、選択された木型２０２を用いて容易に婦人靴１を製造することができる。
【産業上の利用可能性】
【００５４】
本発明の婦人靴及び婦人靴の製造方法は、外反母趾による痛みを緩和するための婦人靴及びその製造方法として有用である。
【符号の説明】
【００５５】
１  婦人靴
２  アッパー
２１  第１欠落部
２２  第２欠落部
２３  第３欠落部
３  ソール
３１  インソール
３２  アウトソール
４  リボン飾り
５１  第１伸縮部材
５２  第２伸縮部材
５３  第３伸縮部材
１００  靴販売店
１０１  計測装置
２００  靴製造工場
２０１  ３次元造形装置
【図１】
2017123974.tif 000003
【図２】
2017123974.tif 000004
【図３】
2017123974.tif 000005
【図４】
2017123974.tif 000006
【図５】
2017123974.tif 000007
【図６】
2017123974.tif 000008